(57)【特許請求の範囲】
【請求項１】
成型絶縁物製のベース（２）とカバーとからなる外殻に開閉遮断機能部材と付属装置が内蔵され、前記カバーが主カバー（４）と該主カバーを前記ベースから取り外すことなく前記付属装置を装着できるように設けられた補助カバー（１）とからなる回路遮断器であって、
前記ベース又は前記主カバーに形成されその先端に係止縁（１３）を有する補助カバー固定孔（１２）と、
外側に前記係止縁と係合する係止爪（１０）が形成されるとともに開脚及び閉脚方向に弾性を有する対向する係止脚（９）が前記補助カバー上に形成されてなる該補助カバーの固定部材（８）と、
前記係止脚の対向隙間に挿入される固定保持部材（１５）と、を有するものにおいて、
前記係止脚の対向面に凸部（１１）が形成され、
前記固定保持部材は開脚及び閉脚する方向に弾性を有するとともに対向面に噛み合わせ形状部（１７）が形成された対向する係止保持脚（１８）を有し、
前記固定保持部材は前記係止保持脚と前記係止脚との対向面が互いに直交するように前記補助カバーの表面から挿入され、挿入完了時点で前記係止保持脚の噛み合わせ形状部が前記係止脚の凸部と噛み合うことを特徴とする回路遮断器。
【発明の詳細な説明】
【０００１】
【発明の属する技術分野】
本発明は、回路遮断器の内部付属装置の収納部分をカバーする補助カバーの固定構造に関する。
【０００２】
【従来の技術】
回路遮断器には、開閉接点、開閉接点を操作する開閉機構、過電流が流れたとき自動的に開閉機構を動作させるトリップ機構などとともに、内部付属品を成型絶縁物製のケースに収納したものがある。この内部付属品としては、一般に、開閉接点の開閉動作に応じて動作する補助スイッチ、トリップ機構が動作したとき動作する警報スイッチ、電圧が低下したときトリップ機構を利用して自動的に開閉接点を開路させる不足電圧引き外し装置（以下、ＵＶＴという。）及び電圧を加えてトリップ機構を利用して遠隔で開閉接点を開路させる電圧引き外し装置（以下、ＳＨＴという）がある。
【０００３】
従来、顧客の注文に応じてメーカーが内部付属品を取り付けて回路遮断器を納入していたが、最近では納期的な面や納入後の仕様変更などに対応するため、回路遮断器本体と内部付属品を別々に納入して顧客が自由に取り付けできるようなシステムが採用されるようになってきた。しかし、内部付属品の取り付けに際して、回路遮断器本体の性能に影響を与える構成部品や不意の動作により危険が伴うような構成部品に顧客が触れることのないようにしておく必要がある。
【０００４】
このようなシステムに対応できる従来の技術の一例が特開平６−１３９９１０号公報に開示されている。図８はこの従来の回路遮断器を示す図であり、成型絶縁物製のベース３０及びカバー３１の内部には図示していない開閉接点、開閉機構、トリップ機構などが外から触れられないように収納されている。また、カバー３１の正面左右には窪み３２が形成され、この窪み３２を覆うように補助カバー３３が設けられている。この窪み３２内に付属品３４が取り付けられるようになっているため、顧客は補助カバー３３を取り外すだけで付属品３４を安全に取付作業をすることができる。なお、窪み３２の壁には、補助スイッチや警報スイッチを動作させるアクチュエータの動作用小孔やＳＨＴやＵＶＴの動作用の小孔が機構内部に通ずるように形成されている。
【０００５】
【発明が解決しようとする課題】
上述のような従来の回路遮断器は、付属装置を取り付けたり取り外したりしたりするときねじを外す工具が必要であるとともに、補助カバー３３を再取付する作業において不慣れな顧客によってねじの締め付けが不完全になるという心配があった。
【０００６】
したがって、本発明は、不慣れな顧客でも、工具を必要とすることなく、簡単に、確実に補助カバーを固定できる回路遮断器を提供することを課題とする。
【０００７】
【課題を解決するための手段】
上述の課題を解決するため請求項１の発明は、成型絶縁物製のベースとカバーとからなる外殻に開閉遮断機能部材と付属装置が内蔵され、カバーが主カバーと該主カバーをベースから取り外すことなく付属装置を装着できるように設けられた補助カバーとからなる回路遮断器であって、ベース又は主カバーに形成されその先端に係止縁を有する補助カバー固定孔と、外側に係止縁と係合する係止爪が形成されるとともに開脚及び閉脚方向に弾性を有する対向する係止脚が補助カバー上に形成されてなる該補助カバーの固定部材と、係止脚の対向隙間に挿入される固定保持部材と、を有するものにおいて、係止脚の対向面に凸部が形成され、固定保持部材は開脚及び閉脚する方向に弾性を有するとともに対向面に噛み合わせ形状部が形成された対向する係止保持脚を有し、固定保持部材は係止保持脚と係止脚との対向面が互いに直交するように補助カバーの表面から挿入され、挿入完了時点で係止保持脚の噛み合わせ形状部が係止脚の凸部と噛み合うこととしている。
【０００８】
このような構成により、補助カバーをベース又は主カバーに固定するとき、補助カバーに設けられた補助カバー固定部材の係止脚を固定孔に挿入することによって挿入中に一旦閉脚方向にたわんだ係止脚が固定孔を挿通すると開脚方向に開き、係止爪が取付孔の係止縁と係合して補助カバーが仮固定される。次に、開脚状態にある係止脚の対向隙間に固定保持部材を挿入することによって係止脚は閉脚方向にたわむことはなく、係止爪と固定孔の係止縁との係合状態が保たれ補助カバーの固定状態が維持される。さらに、噛み合わせ作用により固定保持部材が簡単に脱落することがなくなるとともに、噛合うことによるクリック感が発生して完全に固定維持状態になったことを作業者が知ることができる。
【００１０】
【発明の実施の形態】
本発明の実施の形態を図１ないし図７に示される実施例の回路遮断器によって説明する。図２はこの回路遮断器の外観正面図、図３は一部を破断した外観側面図、図１は図２のＸ−Ｘ断面図である。図４及び図５はそれぞれ補助カバー１の上面図及び正面図であり、図６及び図７は図５のＹ−Ｙ断面図であって補助カバー１を固定維持状態にする際の動作図である。
【００１１】
この実施例の回路遮断器は３極形であって、開閉接触部やトリップ機構や開閉機構をなどを収納する成型絶縁物製のベース２と主カバー４を有し、ハンドル５によって操作される開閉機構は中央極に収納されている。
【００１２】
主カバー４は外形の断面がコ字状の熱可塑性樹脂の成型絶縁物であって、その弾性を利用して両側の下部に形成された複数の角孔６を、ベース２に形成された複数の突起にはめ込んで取り付けられる。主カバー４の左右両端極の内側には、内部付属品を収納するための付属品収納窪み７が四方の側壁と底壁とから形成されている。付属品収納窪み７の壁は開閉機構やトリップ機構の動作に応じて補助スイッチや警報スイッチを動作させるための小孔やＳＨＴやＵＶＴによってトリップ機構を動作させるための小孔を有しているが、この付属品収納窪み７から開閉機構部やトリップ機構に手を触れることはできないようになっている。
【００１３】
上述した付属品収納窪み７の正面側の開口部は、補助カバー１によって覆われる。補助カバー１は、主カバー４に形成されている突起４ａに係合溝１ａをはめ合わせたヒンジ構造となっていて、このはめ合わせ部分を中心に回転することによって開閉できる。また、係合溝１ａを突起４ａから離脱させることによって取り外すこともできる。そして、閉じたときは他端部の一対の固定部材８が主カバー４及びベース２に形成された孔に挿入されて、容易に開かないようになっている。
【００１４】
この補助カバー１の一対の固定部材８のそれぞれは対向する一対の係止脚９からなっており、熱可塑性樹脂の成型絶縁物で補助カバー１と一体成型されているため、係止脚９は開脚及び閉脚方向に弾性を有し自由状態で両脚が略平行となっている。また、それぞれの係止脚９には先端の外側に張り出した係止爪１０と対向面に突起１１が形成されている。
【００１５】
このような構成の本実施例の回路遮断器の補助カバー１を閉じて固定する方法について説明する。まず、図３において鎖線で示されている補助カバー１を時計方向に回転させると、図１において固定部材８が主カバー４に形成されている孔を挿通し、さらにベース２に形成されている固定孔１２に挿入される。このとき、係止爪１０の外−外寸法が固定孔１２の内寸法より大きいため、固定部材８の対向する係止脚９が一旦閉脚方向にたわみ、係止爪１０が固定孔１２の側壁を摺動する。そして、係止脚９の先端が固定孔１２の奥の端部に突き出したとき弾性により係止脚９が広がる。この状態は仮固定状態であって、弱い力が作用しても係止爪１０が固定孔１２の係止縁１３と係合するため、固定部材８が孔から抜けることはなく補助カバー１は開かないが、人為的にやや強めの力を加えれば補助カバー１を容易に開けることができる。
【００１６】
上述のような仮固定の状態において振動や衝撃などによって固定部材８が孔から抜ける方向の相応の力が作用すると、係止脚９が一旦閉脚方向にたわんで係止爪１０と係止縁１３との係合が解消し、補助カバー１が開いてしまうことがある。これを防止するため、補助カバー１の固定部材８の根元部分に形成された貫通孔１４から固定保持部材１５を係止脚９の対向隙間に挿入する。この固定保持部材１５は、方形の頭部１６と対向する一対の係止保持脚１８とを熱可塑性樹脂の絶縁物で一体成型したものであって、係止保持脚１８は開脚及び閉脚方向に弾性を有し自由状態では両脚が略平行になっている。この係止保持脚１８は、先端部の対向面に噛み合わせ形状部である凹部１７が形成され、外側に係合爪１９が形成されている。
【００１７】
図４、図６及び図７は、仮固定状態から固定維持状態への動作を説明するために便宜的に補助カバー１と固定部材８と固定保持部材１５だけを示した図であり、図４の右側の固定部材８は固定保持部材１５の挿入初期の状態を、左側の固定部材８は挿入完了の状態を示し、図６及び図７はそれぞれ挿入初期の状態と挿入完了の状態を示す図４のＹ−Ｙ断面図である。
【００１８】
図６において、係止保持脚１８が貫通孔１４に挿入されるとき、係合爪１９の外−外寸法が貫通孔１４の内寸法より大きいため、一旦係止保持脚１８が閉脚方向にたわんで係合爪１９が貫通孔１４の側壁を摺動しながら移動し、孔から突き出ると再び平行な状態に復帰する。この状態で、係止保持脚１８の係合爪１９と貫通孔１４の端部が係合可能な状態となるため、人為的な力を加えない限り固定保持部材１５は自然にぬけてしまうことはない。さらに固定保持部材１５を押し込むと、係止脚９の対向隙間を係止保持脚１８が係止脚９の突起１１に案内されるように摺動しながら移動する。そして、挿入の終期においては、係止保持脚１８のばね作用によってその凹部１７が突起１１の端部の凸部と噛み合う。このように噛み合うことによって人為的に力を加えない限り固定保持部材１５が逆方向に移動することはない。すなわち、係止脚９が閉脚方向にたわむことがなく、振動や衝撃などでは補助カバー１が自動的に開くことはない。
【００１９】
上述のように、固定部材８の挿入操作の終期に係止保持脚１８と突起１１が噛み合うため作業者にクリック感が感じられるとともに、固定保持部材１５の頭部１６と補助カバー１の表面が面一になることにより固定部材８の取付が確実に行われたことがわかる。
【００２０】
なお、このような固定維持状態において補助カバー１を開くためには、少し力を入れて固定保持部材１５を人為的に抜き出して補助カバー１を仮固定状態にし、次に補助カバー１を回転させればよい。
【００２１】
なお、本実施例では、補助カバー１は、固定孔をベース２に形成して主カバー４を介してベース２に固定するようにされているが、固定孔を主カバー４に形成して直接主カバー４に固定するようにしてもよい。また、補助カバー１の一端をヒンジ型取付としているが、他端と同様に固定部材８を利用した取付にしてもよい。
【００２２】
また、本実施例では固定完了時にクリック感を出すため固定保持部材１５に対向する係止保持脚１８を設けて噛み合わせ形状部が形成されている。しかし、固定保持部材として、固定部材８の係止脚９が閉脚方向にたわまないように保持できるとともにその保持を人為的に解除できるものであれば本実施例のようなものでなくともよい。
【００２３】
上記に、本発明の実施の形態について説明を行ったが、上記に開示された本発明の実施の形態は、あくまでも例示であって、本発明の範囲は上記の発明の実施の形態に限定されるものではない。本発明の範囲は、特許請求の範囲の記載によって示され、さらに特許請求の範囲の記載と均等の意味および範囲内でのすべての変更を含むことが意図される。
【００２４】
【発明の効果】
本発明は、以上説明した形態で実施され、補助カバーに設けられた係止脚を固定孔に挿入するだけで係止脚の弾性と係止爪によって補助カバーが仮固定され、さらに係止脚の対向隙間に固定保持部材を挿入するだけで、工具を使用することなく簡単に補助カバーを固定できるという効果を奏する。
【００２５】
また、固定保持部材の係止保持脚を係止脚の凸部と噛み合わせるようにしているため、固定保持部材が保持状態を維持するとともに、クリック感が発生して作業者が完全に固定状態になったことを知ることができるという効果を奏する。
【図面の簡単な説明】
【図１】この発明による回路遮断器の実施例の要部を示す上面断面図である。
【図２】この発明による回路遮断器の実施例の外観正面図である。
【図３】図２の回路遮断器の一部を破断した外観側面図である。
【図４】補助カバーの上面図である。
【図５】補助カバーの正面図である。
【図６】図５のＹ−Ｙ断面図である。
【図７】図５のＹ−Ｙ断面図である。
【図８】従来の技術を説明する斜視図である。
【符号の説明】
補助カバー１、 係合溝１ａ
ベース２
主カバー４、突起４ａ
ハンドル５
角孔６
付属品収納窪み７
固定部材８
係止脚９
係止爪１０
突起１１
固定孔１２
係止縁１３
貫通孔１４
固定保持部材１５
頭部１６
凹部１７
係止保持脚１８
係合爪１９
【図１】
0003962206.tif 000002
【図２】
0003962206.tif 000003
【図３】
0003962206.tif 000004
【図４】
0003962206.tif 000005
【図５】
0003962206.tif 000006
【図６】
0003962206.tif 000007
【図７】
0003962206.tif 000008
【図８】
0003962206.tif 000009